(57)【要約】【課題】サンゴの生存率を向上させる。【解決手段】本発明のサンゴ着生用構造体（１、１０Ｂ、７００、８００）は、基板（１０、１０Ａ、１０１）と、基板から斜めに張出した板状の張出部（２０、２０Ａ、２０１）と、張出部の端部において内側に向かって形成された折返し部（３０、３０１）とを有する。本発明の構造体によれば、サンゴ等の水生生物の生存率が向上する。【選択図】図１
2016002020.tif 000002
【特許請求の範囲】
【請求項１】
基板と、
前記基板から斜めに張出した板状の張出部と、
前記張出部の端部において内側に向かって形成された折返し部と
を有するサンゴ着生用構造体。
【請求項２】
前記張出部および前記折返し部は、前記基板に折曲げ加工を施すことによって形成され、
前記基板は、前記張出部および前記折返し部が形成された面の裏面にて水中の構造物に取り付けられる
ことを特徴とする請求項１に記載のサンゴ着生用構造体。
【請求項３】
前記基板は、水中の構造物に取り付けるための接合面を有する第１板状部材と、前記第１板状部材に接合され、前記張出部および前記折返し部が形成された第２の板状部材と
を有する
ことを特徴とする請求項１または２のいずれか一つに記載のサンゴ着生用構造体。
【請求項４】
前記折返し部の先端から前記基板までの距離が５〜１０ｍｍである
ことを特徴とする請求項１ないし３のいずれか一つに記載のサンゴ着生用構造体。
【請求項５】
前記張出部は横長矩形状であり、複数設けられる
ことを特徴とする請求項１ないし４のいずれか一つに記載のサンゴ着生用構造体。
【発明の詳細な説明】
【技術分野】
【０００１】
本発明は、水生生物の増殖、特に有性生殖によってサンゴを増殖させる技術に関する。
【背景技術】
【０００２】
サンゴの幼生の着生や成育に適した環境を人工的に作り出すことが行われている。このような環境を実現するための構造体には、少なくとも、生育初期における遮光性、生育中期・後期における採光性、波浪を緩和する機能、他の生物（捕食者や競合関係にある藻類など）の侵入を防止する機能が同時に求められる。
特許文献１には、海中に設置されるサンゴ着生用構造体であって、その表面に面状部を複数互いに重なるように且つ隙間ができるように配置し、各面状部の内側においてサンゴの幼生の着生および生育を促すように設計されたサンゴ増殖用基盤が開示されている。
【先行技術文献】
【特許文献】
【０００３】
【特許文献１】特開２００８−１４１９７９号公報
【発明の概要】
【発明が解決しようとする課題】
【０００４】
特許文献１の技術では、着生した幼生の生存率において改善の余地がある。本発明は、サンゴ等の水生生物の生存率を向上させることを目的とする。
【課題を解決するための手段】
【０００５】
本発明は、一の態様において、基板と、前記基板から斜めに張出した板状の張出部と、前記張出部の端部において内側に向かって形成された折返し部とを有するサンゴ着生用構造体を提供する。
好ましい態様において、前記張出部および前記折返し部は、前記基板の一部に対して切削および折曲げ加工を施すことによって形成され、前記基板は、前記張出部および前記折返し部が形成された面の裏面にて水中の構造物に取り付けられる。
他の好ましい態様において、前記基板は、水中の構造物に取り付けるための接合面を有する第１板状部材と、前記第１板状部材に接合され、前記張出部および前記折返し部が形成された第２の板状部材とを有する。
他の好ましい態様において、前記折返し部の先端から前記面までの距離は５〜１０ｍｍである。
他の好ましい態様において、前記張出部は横長矩形状であり、複数設けられる。
【発明の効果】
【０００６】
本発明によれば、サンゴ等の水生生物の生存率が向上する。
【図面の簡単な説明】
【０００７】
【図１】パネル１０が取り付けられた土台１００の外観を表す斜視図である。
【図２】（ａ）はパネル１０の正面図、（ｂ）は側面図、（ｃ）は平面図である。
【図３】張出部２０および折返し部３０の拡大図である。
【図４】サンゴＢの成長過程を説明するための図である。
【図５（ａ）】海中に設置された本発明に係るパネル１０を撮影した写真である。
【図５（ｂ）】図５(a)の中央部を拡大した写真である。
【図６（ａ）】比較例１に係るサンゴ着生用構造体を表す図である。
【図６（ｂ）】比較例２に係るサンゴ着生用構造体を表す図である。
【図６（ｃ）】本発明の一実施例に係るパネル１０を表す図である。
【図７】張出部２０および折返し部３０の他の例を表す図である。
【図８】パネル１０を土台１００Ａに取り付けた例を表す図である。
【図９】パネル１０Ａの側面図である。
【図１０】パネル１０および土台１００Ｂからなるサンゴ着生用構造体１の概観を表す図である。
【図１１】パネル１０の他の態様を表す図である。
【発明を実施するための形態】
【０００８】
図１は、４つのパネル１０が取り付けられた土台１００の外観を表す斜視図である。土台１００は、パネル１０の取付け面Ｓ１が水中にあり、パネル１０を海中で固定するためのものである。土台１００は、例えば、護岸、防波堤、橋脚などの、全部または一部が海中に没する既存の人工構造物である。あるいは、土台１００として、人工的に海底に設置された直方体のコンクリートブロックを用いてもよい。あるいは、既存の岩など自然物もしくは自然物の表面を一部加工したものを土台１００として利用してもよい。すなわち、土台１００の形状や材質は問わない。ただし、土台１００は、パネル１０を安定して固定するために、平面（図１の取付け面Ｓ１）を有していることが好ましい。土台１００とパネル１０は、アンカーボルトや接着材その他既存の接合方法を用いて接合される。
なお、図１に示すパネル１０の取付け位置や総数は例示にすぎず、任意である。
【０００９】
パネル１０は、横Ｗ、縦Ｈ、厚さｄの板状の部材であり、好ましくは金属（鉄やステンレスなど）製であるが、材質は問わない。ただし、少なくとも張出部２０となる部分については、遮光性を有する材料が用いられる。パネル１０は、面Ｓ２（表）およびＳ３（裏）を有し、面Ｓ２側から斜めに張出した、Ｘ軸方向に横長矩形状の張出部２０を複数有する。なお、同図では３つの張出部２０がそれぞれ平行にＺ方向に形成された例を示しているが、各張出部２０の縦横のサイズは図示したものに限らない。また、張出部２０の数は任意であり、少なくとも１つ設けられていればよい。各張出部２０には、その端部（最も外側に張出した縁）から内側（すなわちパネル面側）に向かって形成された、前記面と前記張出部との間から進入した水生生物をその表面に着生（着底、着床などといもいう；要するに成長を開始するためにその場所にとどまること）させるための折返し部３０が形成される。
【００１０】
図２は、パネル１０の全体構造の概要を表す。（ａ）は正面図、（ｂ）は側面図、（ｃ）は平面図である。張出部２０および折返し部３０は、厚さｄ（例えば０．７ｍｍ（ミリメートル）〜１．０ｍｍ）の板部材に切り込みを入れ、折曲げ線Ｐ１に沿って外側に折り曲げ、続いて折曲げ線Ｐ２に沿って内側に折り曲げる加工を施すことによって成形される。
【００１１】
図３は、パネル１０を一つの張出部２０を中心として拡大した図である。張出部２０の長さ（縦方向の長さ）をｈ１、折返し部３０の長さをｈ２、折曲げ線Ｐ１に沿った折り曲げ角度（換言すると、パネル面Ｓ２に対する張出部２０の張り出し角度）をαとする。各張出部２０は等間隔（間隔ｃ）で垂直（Ｚ）方向に配置される。なお、同図では、説明の都合上、厚みｄは誇張して描かれている。
【００１２】
陸上で製造されたパネル１０が土台１００に取り付けられると、土台１００の取付け面Ｓ１（図１参照）は、図３に示すように、パネル１０の面Ｓ３に接触する領域と、面Ｓ３に接触せず海水に触れる領域（同図のＦ１）とが存在することになる。同図に示すように、領域Ｆ２は、張出部２０と正対する位置に位置する。土台１００の取付け面Ｓ１上の領域Ｆ２、張出部２０、折返し部３０で仕切られた空間Ｑが形成される。この空間Ｑが、サンゴ（プラヌラ幼生、稚サンゴなどと呼ばれる生育初期のサンゴ）の着生および成育開始のための空間となる。
【００１３】
空間Ｑの下方には、折返し部３０と土台１００の取付け面Ｓ１上の領域Ｆ２との間に、空間Ｑと外部空間とを連通する開口部Ａが形成される。空間Ｑの下方の開口部Ａの幅（折返し部３０の先端Ｅ２から土台１００の取付け面Ｓ１（換言するとパネル１０の裏面Ｓ３までの距離）をｈ３、張出部２０と折返し部３０のなす角をβ（同図ではβ＝９０°）とする。すなわち、ｈ３は当該開口部Ａのサイズの指標となるものである。このとき、空間Ｑと外部空間とを連通する開口部ＡのＹ軸方向の長さはｈ３+ｄとなる。よって、ｄがｈ３に比べて十分に小さい場合（すなわちパネル１０が非常に薄い場合）は、折返し部３０からパネル１０までの距離は、開口部ＡのＹ軸方向の長さと実質的に等しいとみなせる。
【００１４】
空間Ｑは、その上方が張出部２０で覆われているために、太陽光が実質的に到達しない。一方、その下方が開放されているので、空間Ｑの内部と外部との間で海水が循環しつつ、空間Ｑの内部では外部の波浪の影響が緩和されるようになっている。これにより、空間Ｑ内部に侵入し定着したサンゴが波浪の影響によって空間Ｑの外に運ばれてしまう可能性が小さくなる。なお、空間ＱのＸ方向の側面は開放されているが、開口部Ａの面積に比べて当該側面の開口部Ａの面積は十分小さいので、当該側面から流入する海水による空間Ｑに与える影響は小さい。
【００１５】
空間Ｑと外部空間とを連通する開口部ＡのＹ軸方向の長さは、ｈ３+ｄとなる。よって、ｄがｈ３に比べて十分に小さい場合（すなわちパネル１０が非常に薄い場合）は、折返し部３０からパネル１０までの距離は、開口部ＡのＹ軸方向の長さと実質的に等しいとみなせる。
【００１６】
好ましい態様において、上述したパラメータは以下の条件を満たす。
５ｍｍ≦ｈ３+ｄ≦１０ｍｍ・・・（１）
【００１７】
上記パラメータの意義について説明する。ｈ３+ｄ（すなわち開口部ＡのＹ軸方向の幅）が小さすぎると、そもそもサンゴが空間Ｑに進入しにくくなるし、空間Ｑの内外の海流の循環が十分に行われず、酸素や餌となる動植物プランクトンが空間Ｑ内に十分に供給されない。さらに、後述するように、空間Ｑに着生したサンゴは開口部Ａを抜けて空間Ｑの外に向かって成長していくが、開口部Ａが狭いと外に出にくくなる。また、サンゴの成長にはある程度の日光が必要だが、開口部Ａが小さすぎると開口部Ａを介して空間Ｑに届く光の量が少なくなりすぎてしまう。このように、好ましい開口部Ａの値には下限が存在し、具体的には５ｍｍ程度である。
【００１８】
一方、開口部Ａが１０ｍｍを超えると、ハギ類、スズメダイ類、ブタイ類等やエビやカニその他の甲殻類などのサンゴの捕食者（外敵）が空間Ｑに進入し易くなり、空間Ｑ内に着生したサンゴが捕食されにくくなるような大きさに成長する前に食害を受けてしまう可能性が高くなる。加えて、開口部Ａが１０ｍｍを超えると、開口部Ａを介して空間Ｑに届く光の量が増えるため、開口部Ａ付近や空間Ｑが藻類などの生育に適する状態となる。この結果サンゴが着生・成長できる場所が浸食される。このように、好ましい開口部Ａの値には上限が存在し、具体的には１０ｍｍ程度である。
【００１９】
図４は、サンゴＢの成長過程を説明するための図である。勿論、サンゴＢは３次元的に（すなわち同図のＸ方向にも）成長するが、Ｘ軸に垂直な平面内の成長に着目して説明する。
まず、所定の方法でサンゴＢを折返し部３０に着生させる（同図（ａ））。例えば、サンゴＢの幼生を捕獲または卵から育成しておき、土台１００の付近にて放流する。すると、サンゴＢは下方から空間Ｑ内に進入する。
着生したサンゴＢは成長を始める。サンゴＢは、光合成を行うため、太陽光を求めて下方開口部から空間Ｑの外に向かって、折返し部３０の外側表面および張出部２０の外側表面に沿って成長する（同図（ｂ））。さらに成長すると、個体の一部分は面Ｓ３に到達する一方、張出部２０の表面に沿って情報および空間Ｑの外側（Ｚ方向および−Ｙ方向）に向かって出ていく（同図（ｃ））。この状態にまで成長すると、サンゴＢは土台１００およびパネル１０と強固に結合し、事実上一体化したようになる。
なお、図４に示したサンゴＢの着生位置や成長経過は一例にすぎない。例えば、折返し部３０ではなく、張出部２０の内側に着生する可能性もありうる。要するに、空間Ｑ内を形成する、面Ｓ３、張出部２０、および折返し部３０のうちのいずれかに着生すればよい。
【００２０】
本発明者らは、パネル１０を海中に設置して経過を観察した。図５(a)は、設置から約５年経過後に撮影した写真である。図５(b)は１０の中央付近を拡大したものである。これらの図に示すように、３つの張出部２０のうち、一番上の張出部２０および真ん中の張出部２０の開口部Ａからパネル１０の外側に向かって成長している様子がみてとれる。
【００２１】
同時に、本発明者らは、特許文献１に開示されたサンゴ着生用構造体（比較例１）および当該サンゴ着生用構造体を改良したもの(比較例２)と上記のパネル１０とを用いて、約５年にわたってサンゴの生存率を検証する実験を行った。なお、海流等の環境要因をできるだけ排除すべく、本発明に係るパネル１０、および比較例１及び比較例２に係るサンゴ着生用構造体の設置場所は、同一湾内において互いに近接する領域である。
【００２２】
図６(a)は比較例１に係るサンゴ着生用構造体７００を示す。同図に示すように、サンゴ着生用構造体７００は、パネル７０４と、一枚のパネル７０４に固定された突出部７０１、７０２、７０３とからなる。突出部７０１、７０２、７０３は、それぞれ略１／４球形状をしており、内部が空洞になっている。換言すると、突出部７０１、７０２、７０３は、お椀を半分に切って下向きに取り付けた構造といえる。突出部７０１、７０２、７０３は、垂直方向に互いに一部重なるように配置されている。このサンゴ着生用構造体７００を２０枚海底に設置して、着生したサンゴの個体数を計測した。
なお、理論的には、突出部７０１、７０２、７０３の表面おいて海水と接触する任意の場所においてサンゴが着生する可能性がある。しかし、実験の結果、海水と接触する表面のうちサンゴの着生が目視確認できたのは限られた領域であることが判明した。具体的には、この領域は、外周面の底面に近い部分Ｕ２、および内周面の底面に近い部分Ｕ３であった。この領域を合計の大きさ（以下、有効着生面積という）は、約１１８８ｃｍ2であった。
【００２３】
図６(b)は比較例２に係るサンゴ着生用構造体８００を示す。（ア）はサンゴ着生用構造体８００の中心線における断面図、（イ）は平面図である。同図に示すように、サンゴ着生用構造体８００は、海底に設置される土台８０１と、土台８０１上に取り付けられた支柱８０２と、支柱８０２に固定される複数の半球体８０３とを含む。各半球体８０３は、お椀を逆さに吊るしたような形状をしており、底面Ｕ５および内周面サンゴが着生することができるようになっている。なお、説明の便宜上、同図では半球体８０３を２個のみ示しているが、実際には、支柱８０２に半球体８０３を１６個取り付けて海底に設置し、着生したサンゴの個体数を計測した。なお、実験の結果、海水と接触する面のうちサンゴが実際に着生したのは、底面Ｕ５から近い部分Ｕ４のみであることが判明した。計算の結果、有効着生面積は、約１３０３ｃｍ2であると決定された。
【００２４】
図６(c)は本発明の一実施例に係るパネル１０の寸法を示す。パネル１０には３つの張出部２０が形成される。各張出部２０は、幅１６．０ｃｍ、縦方向の長さは３．５ｃｍである。このパネル１０を４枚海底に設置して、着生したサンゴの個体数を計測した。なお、実験の結果、実際にサンゴが着生したのは、折返し部３０の前面Ｕ８および張出部２０のうち折返し部３０に近い部分Ｕ９であった。有効着生面積は約１９２ｃｍ2と計算された。
【００２５】
サンゴ着生用構造体７００、サンゴ着生用構造体８００、およびパネル１０に着生したサンゴの個体数は、それぞれ４、５、２であった。これを有効着生面積あたりの個体数に換算すると、それぞれ、４個体／１１８８ｃｍ2＝約３４個体／ｍ2、３個体／１３０３ｃｍ2＝約２３個体／ｍ2、２個体／１９２ｃｍ2＝約１０４個体／ｍ2となった。すなわち、本発明に係るパネル１０を利用した場合、従来のサンゴ着生用構造体を利用した場合に比べて、サンゴの着生率は約３〜４．５倍である。すなわち、本発明によれば、従来と同じサイズのサンゴ着生用構造体を用いると約３〜４．５倍の個体数のサンゴを着生・成長させることができる。換言すると、本発明においては、従来と同じ着生率を実現させるために必要なサンゴ着生用構造体のサイズは１／５〜１／３ですむ。
【００２６】
上記実施例に係る構造を採用することによって、遮光性、波浪緩和、競合生物や捕食者等の侵入の防止が、高い次元で達成される。この結果、サンゴの生育に適した環境が形成され、サンゴの生存率が向上する。また、当該構造は原材料となるパネル状部材を折り曲げるという簡単な加工を施せばよく、複雑な加工を行う必要がない。また、従来のサンゴ着生用構造体に比べて、全体の大きさに対して実質的にサンゴが着生可能な領域の割合が高い。さらに、既存の海中構造物を活用することができるので、サンゴの増殖のためだけに海底に保持するための重量物を製造し、設置する必要がない。すなわち、パネル１０を用いたサンゴの増殖方法は、設置環境における制約が少なく、且つ製造のコストや設置のコストを下げることができる。また、1つのパネル１０に張出部２０および折返し部３０を複数形成することで、パネル１０の表面を効率的に使用することができる。
【００２７】
折返し部３０の先端部に加工を施してもよい。例えば、図７の（ａ）および（ｂ）のように、折返し部３０の先端Ｅ２を更に内側に曲げる加工を行ってもよい。同図（ａ）は９０°、（ｂ）は４５°に折返し部３０を形成した例である。
あるいは、張出部２０および折返し部３０の少なくともいずれか一方は、断面が直線でなく曲線で構成されてもよい。例えば、（ｃ）に示すように、張出部２０および折返し部３０全体の断面形状が鉤状（フック形状）であってもよい。つまり、張出部２０および折返し部３０は一体に形成されてもよい。
あるいは、（ｄ）に示すように、張出部２０は複数の平面から構成されてもよい。
あるいは、（ｅ）に示すように、張出部２０を全体的に曲面で構成してもよい。このように、本発明における張出部とは、一枚の板状のもののみを意味するものではない。ただし、張出部２０の形状に関わらず、上記数式（１）は満たされていることが好ましい。
【００２８】
あるいは、折返し部３０にサンゴの着生や生育を促進する効果のある部材を設けてもよい。具体的には、（ｅ）に示すように、先端Ｅ２付近に、表面に凹凸加工などのサンゴの生育を促進する効果のある加工を施した樹脂、金属、木材、ゴム等からなる部材４０を設けてもよい。部材４０は、好適には、球体や柱状体である。例えば、部材４０の内部に切り込みを入れ、この切り込み部に塗布された接着材を用いて、部材４０を折返し部３０に固定する。あるいは、部材４０を折返し部３０に嵌め込むことによって、部材４０と折返し部３０とを接合してもよい。あるいは、ボルトやネジなどの接合具を用いてもよい。その他、部材４０と折返し部３０とを接合する方法としては、どのような方法を用いてもよい。
【００２９】
パラメータｈ１、ｈ２、ｈ３、α、βは、上述の条件を満たす限りにおいて、張出部２０の材質の強度や、設置海域の環境、サンゴの種類等に応じて任意に設定できる。例えば、図８に示すように、取付け面が設置面（典型的には海底面）に対して垂直でなく、取付け面が所定の傾き（例えば４５°）を有する土台１００Ａにパネル１０を取り付けてもよい。このような場合、サンゴが安定して折返し部３０の内側に着生・成長するように、パネル１０に比べてβが鋭角に（すなわち、着生が水平面に近くなるように）形成されている。
【００３０】
また、各張出部２０の形状や張り出し角度は均一でなくてもよい。例えば、あえて各張出部２０および折返し部３０の形状やサイズを少しずつ異ならせることにより、微妙に異なる複数の着生生育環境を実現する。これにより、サンゴの個体差や種類等の違いに対応することができる。また、各張出部２０の間隔ｃは一様である必要はない。
【００３１】
図１に示す例においては土台１００の一つの面のみに１つのパネル１０が取り付けられていたが、例えば、土台１００の４つの面のそれぞれにパネル１０を取り付けてもよい。要するに、土台１００に取り付けるパネル１０の数や取付け位置、向き、角度は、張出部２０が下方（水平面よりも海底面側）に張出しいる限り、任意である。また、土台１００はブロック部材である必要はない。例えば、土台１００は内部に空間を有する枠体であってもよい。要するに、張出部２０、折返し部３０、および取付け面（またはパネル面）によって空間Ｑが形成されれば、土台１００の形状、パネル１０との位置関係、パネル１０との接合方法は問わない。
【００３２】
張出部２０の製造において、折り曲げ加工を用いる必要はない。例えば、張出部２０および折返し部３０が形成された部材を板材とは独立に製造し、これを溶接などで板材と接合することによってパネルを形成してもよい。この場合、パネルの一部を切り取る必要がないので、パネルの強度が向上する。また、土台１００の取り付け面が空間Ｑと連通していないので、土台１００の取り付け面に海水が接触することもなく、従って、成長したサンゴＢが土台１００の取付け面に固着することによって、サンゴＢが土台１００と一体化してしまい、移設が困難になるといった虞がない。
【００３３】
よって、この場合において、パネルは土台１００から取り外しが容易に接合されることが好ましい。こうすることで、上述の通り、サンゴＢが成長しても、固着するのはパネルの表面であって土台１００にはサンゴＢは接触することがないので、サンゴが固着したパネルを土台１００から取り外すことにより、土台１００はそのままで、サンゴＢを１００の設置位置から移動させることができる。取り外したパネル１０を他の構造物に取り付ければ、土台１００で成長したサンゴを容易に他の場所に移植させることができる。
【００３４】
なお、このように土台１００の取付け面Ｓ１が海水に接しない場合、空間Ｑの開口部Ａのサイズは、上述した切削および折り曲げ加工を行ってパネルを形成した場合に比べて、パネル１０の厚みｄの分だけ実質的に小さくなる。よって、この場合は、上記の（５）式において、ｈ３+ｄをｈ３と置き換えて適用することが好ましい。
【００３５】
サンゴの移植を容易にする他の態様として、図９に示すように、折り曲げ加工等によって張出部２０が形成されたパネル１０の裏面に裏板５０を接合することでパネル１０Ａを製造し、土台１００の取付け面Ｓ１には裏板５０のみが接触するように、パネル１０Ａを１００に取り付けてもよい。裏板５０は、例えば金属の平板であって、パネル１０Ａとボルトなどの接続具によって接合される。
【００３６】
一つの張出部２０の一部は他の張出部２０と重なって形成されてもよい。つまり、ｃ＜ｈ１＊ｃｏｓαとなっていてもよい。また、パネル１０や１０Ａは土台１００と一体に成形されてもよい。こうすれば、パネル１０を土台１００に取り付ける手間が省ける。
【００３７】
土台１００は、既存の構造物である必要はない。例えば、図１０に示すように、パネル１０や１０Ａを水中に固定するために、自重によって海底に固定できる直方体の塊体または枠体などの固定部材１００Ｂを土台として用いてもよい。この場合、固定部材１００Ｂとパネル１０とを別途製造した後に接合するのではなく、土台１００Ａとパネル１０とを一体に成形することによって、サンゴ着生用構造体１を得てもよい。つまり、本発明に係るサンゴ着生用構造体は、海底に固定するための構造体と独立したパネル状の構造体であってもよいし、パネル状の構造体が海底に固定するための構造体と一体となったものでもよい。
【００３８】
本発明に係るパネル１０の形状、絶対的な大きさ、張出部２０との相対的な大きさについては、上述した態様に限られない。図１１に、パネルの他の態様の一例を示す。同図（ａ）は正面図、（ｂ）は側面図、（ｃ）は平面図である。同図に示すように、このパネル１０Ｂは、基板１０１と張出部２０１と折返し部３０１とを有する。パネル１０Ｂは基板と張出部と折返し部を備える点で上述したパネル１０と同じだが、その製造方法が異なる。具体的には、パネル１０Ｂは一体成形される。すなわち、一枚の金属板に対し、切削処理を行うことなく、２ヵ所で折り曲げ加工を施すことによって、基板１０１、張出部２０１、および折返し部３０１が形成される。折返し部３０１と、土台１００の取付け面Ｓ１との間に開口部Ａが形成されており、この開口部Ａの幅ｈ４（＝ｈ３+ｄ）が５ｍｍ以上となるように設計されている点においては、図３等で示した構造と同様である。
【００３９】
要するに、本発明に係るサンゴ着生用構造体は、少なくとも、土台と一体化したまたは土台に取付けられる基板と、前記基板から斜めに張出した板状の張出部と、前記張出部の端部において内側（すなわち基板側）に向かって形成された折返し部とを有し、基板面と、張出部および折返し部との間に形成された空間に、少なくとも折返し部と基板面との隙間から、海水が出入りできればよい。ここで、前記張出部および前記折返し部は、それぞれ事後的に接合される独立した部材であってもよいし、基板となる一枚の板材から折曲げ加工のみ（あるいは折曲げ加工および切削加工）を行うことによって形成されてもよい。
【符号の説明】
【００４０】
１、７００、８００・・・サンゴ着生用構造体；１００、１００Ａ・・・土台；固定部材；１０、１０Ａ、１０Ｂ・・・パネル；２０、２０Ａ、２０１・・・張出部；３０、３０１・・・折返し部；４０・・・部材；５０・・・裏板
【図１】
2016002020.tif 000003
【図２】
2016002020.tif 000004
【図３】
2016002020.tif 000005
【図４】
2016002020.tif 000006
【図６（ａ）】
2016002020.tif 000007
【図６（ｂ）】
2016002020.tif 000008
【図６（ｃ）】
2016002020.tif 000009
【図７】
2016002020.tif 000010
【図８】
2016002020.tif 000011
【図９】
2016002020.tif 000012
【図１０】
2016002020.tif 000013
【図１１】
2016002020.tif 000014
【図５（ａ）】
2016002020.tif 000015
【図５（ｂ）】
2016002020.tif 000016